(57)【特許請求の範囲】
【請求項１】
シャッターケースと、このシャッターケース内に設けた巻取部及びその巻取部を駆動する電動機と、前記巻取部で巻き取り、繰り出しされるシャッターカーテンと、前記シャッターケースの側面板の内面に前記巻取部の周囲を囲むように取付けたシャッターカーテン横ずれ防止部材を備え、
このシャッターカーテン横ずれ防止部材は、巻取部の周囲にほぼ連続したガイド面を有すると共に、側面板の内面との間に電線挿通空間部を形成する形状で、
この電線挿通空間部に電線が配設され、
前記シャッターケースは開閉自在な前面板を備え、
シャッターカーテン横ずれ防止部材における前面板と対向した一部分が着脱自在で、
この一部分で形成された電線挿通空間部に、電線のコネクタ部分が位置することを特徴とする電動式シャッター。
【発明の詳細な説明】
【０００１】
【発明の属する技術分野】
本発明は、主として建物の外壁におけるサッシ窓の上部に取付けられ雨戸として利用される電動式シャッターに関する。
【０００２】
【従来の技術】
電動式シャッターとしては、シャッターケースと、このシャッターケース内に設けた巻取ドラム及び巻取ドラムを駆動する電動機と、前記巻取ドラムで巻き取り、繰り出しされるシャッターカーテンを備えたものが知られている。
この電動式シャッターにおいては、建物側から電動機に電線が接続され、その電線がシャッターケース内でシャッターカーテンと干渉する虞れがある。
【０００３】
このことを解消できるようにした電動式シャッターが提案されている。
例えば、特開２０００−１９２７５７号公報に示す電動式シャッターが提案されている。
この電動式シャッターは、シャッターケースの建物側の開口部に仕切板を取付け、この仕切板の裏面に電線が取付け、この電線をシャッターケース内部の電動機に接続してある。
これによって、シャッターカーテン（スラット）と電線が仕切板で仕切りされるから、電線がシャッターケース内でシャッターカーテンと干渉することがない。
【０００４】
【発明が解決しようとする課題】
前述した従来の電動式シャッターにおいては、シャッターカーテンの長手方向端部とシャッターケースの端面との間を電線が通るので、シャッターカーテンが巻き取り軸に対して長手方向にずれ（横ずれ）が生じた場合に、その電線がシャッターカーテンの長手方向端部と干渉することがある。
【０００５】
本発明は前述の課題を解決するためになされたものであって、その目的は、シャッターカーテンの横ずれを防止できると共に、そのシャッターカーテンと電線が干渉することを防止できる電動式シャッターを提供することである。
【０００６】
【課題を解決するための手段】
本発明は、シャッターケースと、このシャッターケース内に設けた巻取部及びその巻取部を駆動する電動機と、前記巻取部で巻き取り、繰り出しされるシャッターカーテンと、前記シャッターケースの側面板の内面に前記巻取部の周囲を囲むように取付けたシャッターカーテン横ずれ防止部材を備え、
このシャッターカーテン横ずれ防止部材は、巻取部の周囲にほぼ連続したガイド面を有すると共に、側面板の内面との間に電線挿通空間部を形成する形状で、
この電線挿通空間部に電線が配設され、
前記シャッターケースは開閉自在な前面板を備え、
シャッターカーテン横ずれ防止部材における前面板と対向した一部分が着脱自在で、
この一部分で形成された電線挿通空間部に、電線のコネクタ部分が位置することを特徴とする電動式シャッターである。
【０００８】
【作用】
本発明によれば、シャッターカーテンの巻き取り、繰り出し時にシャッターカーテン横ずれ防止部材のガイド面に接触することで、シャッターカーテンの横ずれが防止される。
また、シャッターケースの側面板の内面とシャッターカーテン横ずれ防止部材との間に電線挿通空間部が形成され、この電線挿通空間部に電線が配設されているので、シャッターカーテンの巻き取り、繰り出し時にシャッターカーテンと電線が干渉することがない。
【０００９】
また、シャッターケースの前面板を開放した状態でシャッターカーテン横ずれ防止部材の一部分を取り外しすることで、コネクタ部分が外部に露出する。
よって、シャッターケースの開口部から電線を接続することができる。例えば、サッシ枠の上部にシャッターケースを取付けた状態で、縦枠側に設けたテープスイッチに接続した電線をシャッターケース内の電線に接続できる。
【００１０】
また、前述の一部分を取付けることでコネクタ部分がカバーされるので、そのコネクタ部分に直接雨水などがかかることが防止される。
しかも、前述のような電線の接続作業時にシャッターカーテンは邪魔にならないので、そのシャッターカーテンを巻き取った状態で接続作業できる。
【００１１】
【発明の実施の形態】
図１に示すように、サッシ窓を形成するサッシ枠１は左右の縦枠２，２と、下枠３と、上枠４を備えている。
前記縦枠２の上部２ａは上枠４よりも上方に突出している。
前記縦枠２における上枠４よりも下方部分、つまり下部２ｂにおける室外側部にガイドレール５が取付けてある。
シャッターは、シャッターケース１０と、そのシャッターケース１０内に設けた巻取部１１と、その巻取部１１で巻き取り、繰り出されるシャッターカーテン１２と、シャッターケース１０内に設けられ巻取部１１を駆動する図示しない電動機を備えている。
前記シャッターカーテン１２は複数のシャッタースラット１２ａを連結したもので、前記ガイドレール５に沿って上下動する。
【００１２】
前記シャッターケース１０は上面板２０と左右の側面板２１と前面板（正面パネル）２２と左右のシャッターカーテン横ずれ防止部材２３を備え、この実施の形態では縦枠２の上部２ａが側面板２０の一部を構成している。
つまり、この実施の形態ではサッシ枠１とシャッターケース１０が一体としてあるが、サッシ枠１とシャッターケース１０を別体としても良い。
図１はサッシ枠１とシャッターの全体を理解し易くするために概略的に示すもので、各部材の位置関係、寸法などは後述する具体形状とは異なる部分がある。
【００１３】
前記サッシ枠１は図２に示すように、建物の外壁６の窓開口部７の周縁に取付けられる。
前記上面板２０は外壁６の室外側面６ａに取付けられると共に、左右の縦枠２の上部２ａ間にビスで連結される。
前記側面板２１は、縦枠２の上部２ａの内面に取付けた内側板２４と、この内側板２４の外面に取付けた外側板２５より成る。
この実施の形態では、内側板２４は縦枠２の室外側面２ｃよりも室外側に突出し、外側板２５は縦枠２の室外側面２ｃと連続している。これは前述のようにシャッターケース１０がサッシ枠２と一体であるためで、別体の場合には外側板２５を外壁６の室外側面６ａまで突出した形状とする。
【００１４】
前記内側板２４の室外側部には上取付片２６、中間取付片２７、下取付片２８を有し、外側板２５の内面に設けた上取付片２９、中間取付片３０をビス３１で前記内側板２４の上取付片２６、中間取付片２７にそれぞれ固着して外側板２５が内側板２４に取付けられ、前述の側面板２１を形成している。
なお、側面板２１は内側板２４と外側板２５を一体とした一枚形状としても良い。
前記巻取部１１は中空の軸形状で、その一端部が、一方の内側板２４の内面に取付けた電動機１３の出力側に連結され、他端部が他方の内側板２４に回転自在に取付けてある。
【００１５】
前記前面板２２は、その上取付突部３２が上面板２０の室外側に形成した下向きの取付凹部３３に上下揺動自在に連結され、前面板２２の下部が前記下取付片２８にビス３４で連結してある。
この前面板２２の下部と上枠４の室外側部が室内外側方向に離隔し、その間を各スラット１２ａが上下に移動する。
よって、ビス３４を弛めることで前面板２２を上方に揺動してシャッターケース１０の開口部１０ａを開放できる。
なお、図２には前述のシャッターカーテン横ずれ防止部材２３の図示が省略してある。
【００１６】
前記シャッターカーテン横ずれ防止部材２３は図３と図４に示すように、前記巻取部１１の周囲を囲むように内側板２４の内面（側面板２１の内面）に取付けられ、その巻取部１１の周囲にほぼ連続したガイド面２３ａを有すると共に、内側板２４の内面との間に電線挿通空間部２３ｂを形成している。前記シャッターカーテン横ずれ防止部材２３の一部分２３ｃはシャッターケース１０の開口部１０ａから着脱自在である。
その一部分２３ｃを取り外しすると図３に示すように、前記電線挿通空間部２３ｂの一部分が前面板２２側（開口部１０ａ）に開放し、その電線挿通空間部２３ｂに配設した電線、例えば第１電線３５のコネクタ部分３５ａと第２電線３６のコネクタ部分３６ａが外部に露出して接続、分離できるようにしてある。つまり、コネクタ部分３５ａ，３６ａと対向した一部分２３ｃが着脱自在である。
前記第１電線３５の一端部は前記巻取部１１を駆動する電動機１３に接続し、他端部は図示しない電源側に接続される。この電動機１３の電線接続部はガイド面２３ａよりも内方に突出しないようにしてある。
前記第２電線３６の一端部は図示しない縦枠２に設けたテープスイッチ（シャッターカーテン１２を繰り出した時に人などに干渉したことを検出するスイッチ）に接続し、他端部は図示しないコントローラに接続される。なお、第２電線３６は２本備え、他方の第２電線３６はシャッターケース１０内における奥部において左右方向に向けて配設され、図５に示すように、反対側のシャッターカン横ずれ防止部材２３の電線挿通空間部２３ｂを通って反対側のテープスイッチに接続される。他方の電線３６のコネクタ部分３６ａは一部分２３ｃと対向し、その一部分２３ｃを外すことで開口部１０ａから接続・分離できる。
【００１７】
次に、シャッターカーテン横ずれ防止部材２３の具体形状の一例を説明する。
シャッターカーテン横ずれ防止部材２３は、図３と図４に示すように、第１部材４０と第２部材５０と第３部材６０を備えている。
前記第１部材４０は図３、図４、図６に示すように、ほぼ円孤形状の外周面４１ａと内周面４１ｂを有する本体部４１と、この本体部４１の一端面４１ｃにおける内周面４１ｂ寄りと連続した円孤状突出部４２を有する。
前記本体部４１の表面は平坦面でガイド面を形成する。
この本体部４１の裏面には上方凹部４３と下方凹部４４を有する。
前記本体部４１の上部には上取付用穴４５を有する突部４６が一体的に設けてあり、下部には下取付用穴４７が形成してある。
【００１８】
図４に示すように、上取付用穴４５、下取付用穴４７からビス４８を内側板２４に螺合して第１部材４０が取付けられる。
この第１部材４０の上方凹部４３と内側板２４で上空間部４９ａを形成し、下方凹部４４と内側板２４で下空間部４９ｂを形成している。
前記上空間部４９ａは本体４１の外周面４１ａの上部と一端面４１ｃに開口している。
前記下空間部４９ｂは本体４１の内周面４１ｂの下部寄りと外周面４１ａの下部寄りにそれぞれ開口している。
【００１９】
前記第２部材５０は図３と図４に示すように、ほぼ矩形状で、裏面における長手方向中間部に凹部５１に有したほぼ平面コ字形状で、この凹部５１よりも両側に取付用穴５２がそれぞれ形成してある。
この第２部材５０は内側板２４の下部に、前記取付用穴５２に挿通したビス５３で取付けられ、その一端部が本体部４１の下部と略連続していると共に、内側板２４との間に下空間部５４を形成している。この下横空間部５４は上下に開口している。
前記第２部材５０は巻取部１１の下方に位置している。
【００２０】
前記第３部材６０は図３と図４に示すように、第１部材４０の一端部と第２部材５０の他端部との間に取付けられ、この第３部材６０が前述の一部分２３ｃで、前面板２２と対向している。
この第３部材６０は図７に示すように、本体部６１と、その一端部に一体的に設けた仮取付部６２と、本体部６１の他端部に一体的に設けた取付部６３を備えている。
前記本体部６１は表面板６４と外周面板６５で断面ほぼ鉤形状で、円孤状の外周面６１ａと円孤形状の内周面６１ｂを有する。
前記仮取付部６２は、本体部６１の表面板６４の一端面と連続したほぼ円形の板状形状で、前記第１部材４０の本体部４１における一端面４１ｃ寄りに形成した仮取付凹部、例えば凹陥部６６に嵌合する形状である。
前記取付部６３は本体部６１の外周面板６５の他端部と一体的に連続した板状で、取付用穴６７を有する。
【００２１】
前記第３部材６０は図４に示すように、仮取付部６２を第１部材４０の凹陥部６６に嵌合して仮取付けられる。
これによって、本体部６１の内周面６１ｂが第１部材４０の円孤状突部４２に当接すると共に、取付部６３が内側板２４の取付片６８に接する。
取付部６３の取付用穴６７からビス６９を前記取付片６８に螺合して取付けられる。
このようであるから、第３部材６０をシャッターケース１０の開口部１０ａから容易に取付け、取外しできる。
【００２２】
前述のように第３部材６０を取付けることで、その本体部６１の一端面６１ｃと第１部材４０の本体部４１の一端面４１ｃが当接し、各本体部４１，６１の外周面４１ａ，６１ａが連続する。
また、第３部材６０と第１部材４０の円孤状突出部４１と内側板２４との間に空間部７０を形成し、この空間部７０が前記上空間部４９ａに連続し、かつ下横空間部５４と間隔を置いて対向する。
そして、前記上空間部４９ａ、下空間部４９ａ、下空間部５４、空間部７０で前述の電線挿通空間部２３ｂを形成し、各本体部４１，６１の表面と第２部材５０の表面が面一にほぼ連続し、前述のシャッターカーテンのガイド面２３ａを形成する。
【００２３】
前記第２部材５０で形成された下空間部５４は図３に示すようにガイドレール５の上端部と対向し、第２電線３６はその下空間部５４からガイドレール５内に挿通されて前述のテープスイッチに接続される。
【００２４】
前記シャッターカーテン横ずれ防止部材は一体リング形状としても良いし、第１部材４０と第２部材５０を一体としても良い。
【００２５】
【発明の効果】
請求項１に係る発明によれば、シャッターカーテンの巻き取り・繰り出し時にシャッターカーテン横ずれ防止部材のガイド面に接触することで、シャッターカーテンの横ずれが防止される。
また、シャッターケースの側面板の内面とシャッターカーテン横ずれ防止部材との間に電線挿通空間部が形成され、この電線挿通空間部に電線が配設されているので、シャッターカーテンの巻き取り・繰り出し時にシャッターカーテンと電線が干渉することがない。
【００２６】
また、シャッターケースの前面板を開放した状態でシャッターカーテン横ずれ防止部材の一部分を取り外しすることで、コネクタ部分が外部に露出する。
よって、シャッターケースの開口部から電線を接続することができる。例えば、サッシ枠の上部にシャッターケースを取付けた状態で、縦枠側に設けたテープスイッチに接続した電線をシャッターケース内の電線に接続できる。
【００２７】
また、前述の一部分を取付けることでコネクタ部分がカバーされるので、そのコネクタ部分に直接雨水などがかかることが防止される。
しかも、前述のような電線の接続作業時にシャッターカーテンは邪魔にならないので、そのシャッターカーテンを巻き取った状態で接続作業できる。
【図面の簡単な説明】
【図１】シャッターを備えたサッシ枠の概略外観図である。
【図２】図１のＡ−Ａ詳細拡大断面図である。
【図３】シャッターカーテン横ずれ防止部材の取付部分の斜視図である。
【図４】シャッターカーテン横ずれ防止部材の取付け状態の側面図である。
【図５】反対側のシャッターカーテン横ずれ防止部材の取付け状態の側面図である。
【図６】第１部材の斜視図である。
【図７】第３部材の斜視図である。
【符号の説明】
１０…シャッターケース、１１…巻取部、１２…シャッターカーテン、１３…電動機、２０…上面板、２１…側面板、２２…前面板、２３…シャッターカーテン横ずれ防止部材、２３ａ…ガイド面、２３ｂ…電線挿通空間部、２３ｃ…一部分、３５…第１電線、３５ａ…コネクタ部分、３６…第２電線、３６ａ…コネクタ部分、４０…第１部材、５０…第２部材、６０…第３部材。
【図１】
0004032341.tif 000002
【図２】
0004032341.tif 000003
【図３】
0004032341.tif 000004
【図４】
0004032341.tif 000005
【図５】
0004032341.tif 000006
【図６】
0004032341.tif 000007
【図７】
0004032341.tif 000008